(57)【要約】      （修正有）【課題】小さく安く使い捨て可能な小型内視鏡装置を提供する。【解決手段】小型撮像装置は、撮像モジュール２０と光源モジュール３０と可撓性プリント回路基板とを備える。可撓性プリント回路基板は、装置区１１、１２、１３、１４と、それぞれの間に連接するブリッジワイヤ１１２等と、それぞれから延伸した外接ワイヤ１１４、１２１、１３１、１４１とを有し、各外接ワイヤを介して各装置区内にある能動電子部品５１等が必要な配線空間に分散される。各外接ワイヤは、非組立部と組立部１４１ｂ等とを有し、各非組立部は、各装置区とそれぞれ一体に連接し、各組立部の上にそれぞれ受動電子部品６２、７２、８２等を配置し、尾端は外部に延伸された導線５３、６３、７３、８３を連接する。【選択図】図１
0003158863.tif 000002
【実用新案登録請求の範囲】
【請求項１】
撮像モジュール（２０）と、光源モジュール（３０）と、可撓性プリント回路基板（１０）と、を備え、
前記撮像モジュール（２０）は、光学レンズ（２１）と、スタンド（２２）とを有し、前記光学レンズ（２１）は、撮像をするために前記スタンド（２２）の一端の表面に設けられ、
前記光源モジュール（３０）は、撮像をするとき必要な光線を提供するために、前記撮像モジュール（２０）の前記スタンド（２２）に設けられ、
前記可撓性プリント回路基板（１０）は、第一装置区（１１）と、第一ブリッジワイヤ（１１１）と、第二装置区（１２）と、少なくとも一つの第一外接ワイヤ（１１４）と、少なくとも一つの第二外接ワイヤ（１２１）と、を有し、
前記第一装置区（１１）は、前記撮像モジュール（２０）が設けられ、前記撮像モジュール（２０）内部の下方にある前記第一装置区（１１）の表面には、撮像および画像の処理をするための第一能動電子部品（５１）を組み立てており、前記第一装置区（１１）の周辺は、第一ブリッジ端部（１１ａ、１１ｂ、１１ｃ）と、少なくとも第一外接線端部（１１ｄ）を設け、
前記第一ブリッジワイヤ（１１１）の一端は、平滑的に前記第一ブリッジ端部（１１ａ、１１ｂ、１１ｃ）と一体連接し、前記第一ブリッジワイヤ（１１１）は、前記第一装置区（１１）の方向に折り曲がって、直接前記第一装置区（１１）の下方に折り重なり、
前記第二装置区（１２）の表面には、第二能動電子部品（６１）が組み立てられ、その周辺に第二ブリッジ端部（１２ａ）と少なくとも一つの第二外接端部（１２ｂ）を設け、前記第一ブリッジワイヤ（１１１）の他の一端は、平滑に前記第二ブリッジ端部（１２ａ）と一体連接し、前記第二装置区（１２）は、前記第一ブリッジワイヤ（１１１）で前記第一装置区（１１）の方向に折り曲がって、直接前記第一装置区（１１）の下方に折り重なり、
少なくとも一つの前記第一外接ワイヤ（１１４）は、平滑に前記第一装置区（１１）と一体連接して、前記第一外接ワイヤ（１１４）は、第一非組立部（１１４ａ）と、第一組立部（１１４ｂ）とを有し、
前記第一非組立部（１１４ａ）は、前記第一外接線端部（１１ｄ）で前記第一装置区（１１）周辺の小部分と連接し、
前記第一組立部（１１４ｂ）は、前記第一非組立部（１１４ａ）から外に向かって一体延伸し、前記第一組立部（１１４ｂ）の表面には、第一受動電子部品（５２）が設けられ、前記第一組立部（１１４ｂ）の尾端は、導線を介して外部と連接し、
少なくとも一つの前記第二外接ワイヤ（１２１）は、平滑に前記第二装置区（１２）と一体連接して、前記第二外接ワイヤ（１２１）は、第二非組立部（１２１ａ）と、第二組立部（１２１ｂ）とを有し、
前記第二非組立部（１２１ａ）は、前記第二外接線端部（１２ｂ）で前記第二装置区（１２）周辺の小部分と連接し、
前記第二組立部（１２１ｂ）は、前記第二非組立部（１２１ａ）から外に向かって一体延伸し、前記第二組立部（１２１ｂ）の表面には、第二受動電子部品（６２）が設けられ、前記第二組立部（１２１ｂ）の尾端は、導線を介して外部と連接することを特徴とする小型撮像装置。
【請求項２】
前記第一非組立部（１１４ａ）と前記第二非組立部（１２１ａ）との長さは、前記第一装置区（１１）と前記第二装置区（１２）との間の距離より大きいことを特徴とする請求項１に記載の小型撮像装置。
【請求項３】
前記可撓性プリント回路基板（１０）は、更に、第三装置区（１３）と、第二ブリッジワイヤ（１１２）と、少なくとも一つの第三外接ワイヤ（１３１）とを有し、
前記第三装置区（１３）は、前記第三装置区（１３）の周辺と平滑的に一体成形される第三ブリッジ端部（１３ａ）と、少なくとも一つの第三外接線端部（１３ｂ）とを有し、前記第三装置区（１３）の表面には、第三能動電子部品（７１）が組み立てられ、
前記第二ブリッジワイヤ（１１２）は、平滑的に前記第三外接線端部（１３ｂ）と前記第一ブリッジ端部の間に連接し、前記第三装置区（１３）は、前記第二ブリッジワイヤ（１１２）を介して、前記第二装置区（１２）に向かい合い、折って直接前記第二装置区（１２）の下に折り重なり、
前記第三外接ワイヤ（１３１）は、平滑的に前記第三外接線端部（１３ｂ）と一体連接して、第三非組立部（１３１ａ）と第三組立部（１３１ｂ）とを有し、前記第三非組立部（１３１ａ）は、前記第三外接線端部（１３ｂ）で、前記第三装置区（１３）周辺の小部分と平滑的に一体連接し、前記第三組立部（１３１ｂ）は、前記第三非組立部（１３１ａ）から外に向かって延伸し、前記第三組立部（１３１ｂ）の表面には、第三受動電子部品（７２）が設けられ、前記第三組立部（１３１ｂ）の尾端は、導線で外部と連接することを特徴とする請求項１に記載の小型撮像装置。
【請求項４】
前記第三組立部（１３１ｂ）の長さは、前記第一装置区（１１）と前記第二装置区（１２）との間の距離より大きく、前記第一ブリッジ端部、前記第二ブリッジ端部、前記第一ブリッジワイヤ、前記第一外接線端部、前記第二外接線端部、前記第一外接ワイヤ及び前記第二外接ワイヤの幅は、２ｍｍ以下であり、装置部及びカバーの外円周の寸法は、５ｍｍ以下となることを特徴とする請求項１に記載の小型撮像装置。
【請求項５】
前記可撓性プリント回路基板（１０）は、更に、第四装置区（１４）と、第三ブリッジワイヤ（１１３）と、少なくとも一つの第四外接ワイヤ（１４１）とを有し、
前記第四装置区（１４）は、前記第四装置区（１４）の周辺と平滑的に一体成型される第四ブリッジ端部（１４ａ）と、少なくとも一つの第四外接線端部（１４ｂ）とを有し、前記第四装置区（１４）の表面には、第四能動電子部品（８１）を組み立てられ、
前記第三ブリッジワイヤ（１１３）は、平滑的に前記第四外接線端部（１４ｂ）と前記第一ブリッジ端部の間に連接し、前記第四装置区（１４）は、前記第三ブリッジワイヤ（１１３）を介して、前記第三装置区（１３）に向かい合い、折って直接前記第三装置区（１３）の下に折り重なり、
前記第四外接ワイヤ（１４１）は、平滑的に前記第四外接線端部（１４ｂ）と一体連接して、しかも第四非組立部（１４１ａ）と第四組立部（１４１ｂ）とを有し、前記第四非組立部（１４１ａ）は、前記第四外接線端部（１４ｂ）で、前記第四装置区（１４）周辺の小部分と平滑的に一体連接しており、前記第四組立部（１４１ｂ）は、前記第四非組立部（１４１ａ）から外に向かって延伸し、前記第四組立部（１４１ｂ）の表面は、第四受動電子部品（８２）を設けて、前記第四組立部（１４１ｂ）の尾端は、導線で外部と連接することを特徴とする請求項３に記載の小型撮像装置。
【請求項６】
前記第四組立部（１４１ｂ）の長さは、前記第一装置区（１１）と前記第四装置区（１２）との間の距離より大きく、前記第一ブリッジ端部、前記第二ブリッジ端部、前記第三ブリッジ端部、前記第四ブリッジ端部、前記第一ブリッジワイヤ、前記第二ブリッジワイヤ、前記第三ブリッジワイヤ、前記第一外接線端部、前記第二外接線端部、前記第三外接線端部、前記第四外接線端部、前記第一外接ワイヤ、前記第二外接ワイヤ、前記第三外接ワイヤ、及び前記第四外接ワイヤの幅は、２ｍｍ以下であり、装置部及びカバーの外円周の寸法は、５ｍｍ以下となることを特徴とする請求項５に記載の小型撮像装置。
【考案の詳細な説明】
【技術分野】
【０００１】
本考案は、小型撮像装置に関して、特に、使用した後に廃棄できる小型の内視鏡装置に関する。
【背景技術】
【０００２】
米国の特許出願公開第２００６０１８９８４４号による従来の技術において、プリント回路基板に配線の溶接空間を置く必要があるため、プリント回路基板の面積を縮小することができて、しかも軟らかい配線は、折り畳まれた後、約３０ｍｍの折られない区域を形成して内視鏡の活動範囲を制限しており、それによって、成人の細い気管或いは幼い子供の呼吸道を観察することができる。
【０００３】
従来の技術で、折り畳みのプリント回路基板（Folded PCB）は、面積を減らすことができるとしても、電子部品の設置は、一定の面積が相変わらず必要である。しかもその信号が尾端から集中的に転送されており、転送した配線は、一定のプリント回路基板の空間を占めているため、従来の内視鏡レンズの外径は、５ｍｍより小さくすることができない。更に、プリント回路基板は、折り畳まれた後、所定の折り畳んだ長さがある折曲がれないセクションを形成しているため、従来の内視鏡の折曲がれないセクションの長さ、即ち、レンズの長さは、１０ｍｍより小さくすることができない。上述は、従来の小型撮像装置の製造技術であって、言い換えれば、これは、特に内視鏡にとって、困難で突破できない問題である。
【先行技術文献】
【特許文献】
【０００４】
【特許文献１】米国特許出願公開第２００６０１８９８４４号明細書
【考案の概要】
【考案が解決しようとする課題】
【０００５】
本考案の主な目的は、レンズの全体外径が５ｍｍより小さい小型撮像装置であり、しかも価格が安く、交差感染を避けられる使い捨ての小型内視鏡装置を提供することである。本考案による全体外径は、その最小のサイズが４．３ｍｍになる。
本考案のもう一つの目的は、レンズの長さが１０ｍｍまでにできる小型撮像装置を提供することである。レンズの長さは、内視鏡装置の利用可能性を判断する重要な要素であって、レンズの長さが短ければ短いほど、レンズが折り曲がった後の長さが短くなるため、レンズは、狭い部位に挿入して観察することができる。本考案のレンズの長さは、最小１０ｍｍぐらいまでに短縮できる。
【課題を解決するための手段】
【０００６】
本考案は、従来技術の欠点を解決するために、特殊な可撓性プリント回路基板（Flexible PCB）を利用し、それが折り畳まれた後、形成した立体複数層の回路基板は、電子部品を配置するのに提供される。可撓性プリント回路基板は、装置区（unit）と、装置区の間に連接するブリッジワイヤと、装置区から延伸した外接ワイヤ（connection）とを備え、外接ワイヤを介して装置区内にある能動電子部品を必要な配線空間に分散できる。外接ワイヤは、非組立部と組立部とを有し、非組立部は、装置区と一体に連接し、前記組立部の上に受動電子部品を配置して、その尾端は外部に延伸された導線を連接する。
【０００７】
ブリッジワイヤの長さは、電子部品を有する各装置区の高度に対応するため、可撓性プリント回路基板は、ブリッジワイヤで折り曲げられて畳まれて多層の立体構造を形成しており、即ち、これが折曲がれないセクションである。外接ワイヤは、折曲げられて立体構造の一側に垂直になることができる。非組立部の長さは、折曲がれないセクションの高度より大きくなる（およそ３ｍｍ以上の長さより大きくなる）。
【０００８】
本考案の設計で、体積が比較的に大きい能動電子部品、例えば、微コントローラ、感光素子等は、単一に各装置区内に設置される。体積が比較的小さい受動電子部品、例えば、抵抗、コンデンサー等は、外接ワイヤの組立部に設置される。これにより、従来の技術において、同時に能動、受動電子部品を設置しなげればならないことにより大幅に装置の面積を縮小できず、レンズの直径も縮小できないという技術困難を解決できる。
【０００９】
外接ワイヤの非組立部は、十分に折曲がられないセクションを越える長さがあり、組立部の上にある電子部品は、積み重ねた装置区を避け、しかも組立部の尾端で導線を延伸し、それによって、データを出力する。ブリッジワイヤ及び外接ワイヤの幅は、およそ２ｍｍ以下となって、ただ装置区の周辺で一部に連接して、それにより、可撓性で折り曲がられた後形成した折角は、レンズの整体外径に影響せず、これは、本考案の一つの特色となる
【００１０】
前述した技術手段は、従来の技術と比べて、下記の長所がある。
（１）可撓性プリント回路基板の装置区に単独の電子部品を配置しているため、直接、各装置区の回路基板の面積を最小の限度まで縮小できる。
（２）各層の装置区にある電子部品は、外接ワイヤの非組立部で直接に通信されるため、導線の配線距離を節約できて、しかも直接、配線区域を分散できて、それにより、各装置区の配線が必要とする回路基板の面積を減らす。
【００１１】
（３）ブリッジワイヤ及び外接ワイヤの幅を利用して、折曲げられてから形成した折角を最小として、それにより、折線折曲がるセクションを置いておく必要がなくて回路基板の面積を大幅に縮小できる。
（４）ブリッジワイヤの長さは、能動的な電子部品がある装置区をしっかり順列で折り畳ませて、それにより、折曲がれないセクションの長さを大幅に減らして、そして内視鏡の使用範囲を増加できて、例えば、大人の細い気管支部位或いは幼い子供の検査者にも使用できる。
（５）外接ワイヤ及び組立部尾端から延伸した導線は、例えば、細い電線等の可撓性材料であって、折曲がれないセクション以外を折り曲がらせて、その折曲度も従来の光ファイバーの内視鏡より優れる。
【図面の簡単な説明】
【００１２】
【図１】本考案の第１実施形態による小型撮像装置を示す分解斜視図である。
【図２】本考案の第１実施形態による小型撮像装置を示す斜視図である。
【図３】本考案の第１実施形態に係る可撓性プリント回路基板を示す展開平面図である。
【図４】本考案の第２実施形態に係る可撓性プリント回路基板を示す展開平面図である。
【図５】本考案の第２実施形態に係る可撓性プリント回路基板を示す斜視図である。
【図６】本考案の第３実施形態に係る可撓性プリント回路基板を折り重ねて組み立てた状態を示す模式図である。
【図６Ａ】本考案の第３実施形態に係る可撓性プリント回路基板を折り重ねて組み立てた状態を示す斜視図である。
【図７】本考案の第２実施形態に係る可撓性プリント回路基板を折り重ねて組み立てた状態を示す模式図である。
【図８】本考案の第１実施形態に係る可撓性プリント回路基板を折り重ねて組み立てた状態を示す模式図である。
【考案を実施するための形態】
【００１３】
以下、本考案の小型撮像装置の実施の形態を添付図面に基づいて説明する。
（第１実施形態）
図１は、本考案の第１実施形態による小型撮像装置を示す分解斜視図である。小型撮像装置１００は、可撓性プリント回路基板１０と、撮像モジュール（image capture assembly）２０と、光源モジュール（light source）３０と、カバー（cover）４０と、を備える。可撓性プリント回路基板１０は、柔らかいプリント回路基板であって、柱形にマルチ層のスタックに折り畳まれる（図２参照）。
【００１４】
撮像モジュール２０は、光学レンズ２１と、スタンド２２とを有し、光学レンズ２１は、スタンド２２一端の表面に設けられる。光源モジュール３０は、光源電気回路３１と、発光部品３２とを有する。光源電気回路３１は、複数の発光部品３２、例えば、発光ダイオード（ＬＥＤ）或いは有機発光ダイオード（ＯＬＥＤ）等であり、光源電気回路３１は、加えて光源電線３３を連接する。
【００１５】
光源電気回路３１は、通孔３１１を有する。光源電気回路３１は、環状の電気回路、或いは、光学レンズ２１が通る通孔３１１を有する他の類似の部品であって、光源電気回路３１をスタンド２２に固定させることができる。撮像モジュール２０は、スタンド２２で、可撓性プリント回路基板１０の立体構造の最も上層（図２参照）に設けられて、光学レンズ２１が必要とする支える力を提供する。
【００１６】
最後に、可撓性プリント回路基板１０と、撮像モジュール２０と、光源モジュール３０とが共に組み立てられる柱形の立体構造（図２参照）は、カバー４０の内部に設置される。カバー４０の上端には、光学透明レンズ４１が設けられ、発光部品３２が発射した光源は、光学透明レンズ４１を通り、反射した光源は、光学透明レンズ４１を通って光学レンズ２１に入ってから撮像される。
【００１７】
図２は、本考案の第１実施形態による小型撮像装置を示す斜視図である。小型撮像装置１００は、折曲がれないセクション１０１と、折曲がれるセクション１０２と、を有し、可撓性プリント回路基板１０と、撮像モジュール２０と、光源モジュール３０と、カバー４０とが共に組み立てられた立体構造は、小型撮像装置１００の折曲がれないセクション１０１を形成する。本考案の好ましい実施形態において、折曲がれないセクション１０１は、最も短い長さが、６ｍｍ以下とすることができる。
図３は、本考案の第１実施形態に係る可撓性プリント回路基板の展開平面図である。可撓性プリント回路基板１０は、第一装置区１１、第二装置区１２、第三装置区１３、第四装置区１４等の四つの装置区を有する。
【００１８】
（第２実施形態）
図４は、本考案の第２実施形態に係る可撓性プリント回路基板の展開平面図である。本考案の第１実施形態に係る可撓性プリント回路基板１０のように、図４に示される可撓性プリント回路基板１０Ａも、第一装置区１１、第二装置区１２、第三装置区１３等の三つの装置区を有する。図５及び図７は、可撓性プリント回路基板１０Ａの立体構造示す。第２実施形態において、可撓性プリント回路基板１０Ａの他の電気回路のワイヤ構造及びその全部の部品は、第１実施形態と同様であるため、同一の符号を付して説明を省略する。
【００１９】
本考案による第１実施形態および第２実施形態において、各装置区の直径は、スタンド２２の直径（３．７ｍｍ）と同じになる。図３に示すように、第一装置区１１の周辺は、第一ブリッジ部（bridge point）１１ａ、１１ｂ、１１ｃと、第一外接線端部１１ｄと、を有し、第二装置区１２の周辺は、第二ブリッジ部１２ａと、第二外接線端部１２ｂと、を有し、第三装置区１３の周辺は、第三ブリッジ部１３ａと、第三外接線端部１３ｂと、を有し、第四装置区１４の周辺は、第四ブリッジ部１４ａと、第四外接線端部１４ｂと、を有する。
【００２０】
第一装置区１１の第一ブリッジ部１１ａは、第一ブリッジワイヤ１１１を通って第二装置区１２の第二ブリッジ部１２ａに連接し、第一ブリッジ部１１ｂは、第二ブリッジワイヤ１１２を通って第三装置区１３の第三ブリッジ部１３ａに連接し、第一ブリッジ部１１ｃは、第三ブリッジワイヤ１１３を通って第四装置区１４の第四ブリッジ部１４ａに連接する。
【００２１】
第１実施形態および第２実施形態において、各々のブリッジワイヤの幅は、およそ２ｍｍとなって、折曲がると最小の折角を形成し、大幅に無効な面積Ａの寸法を縮小することができる。各々の装置区は、例えば、第一装置区１１の周辺は、少なくとも一つのブリッジワイヤを有し、ブリッジワイヤで一つ以上の異なる装置区（例えば、第二装置区１２、第三装置区１３、及び第四装置区１４）の周辺の部分（例えば、第二ブリッジ端部１２ａ、第三ブリッジ端部１３ａ、及び第四ブリッジ端部１４ａ）と連接する。
【００２２】
第一装置区１１及び第二装置区１２の表面は、それぞれ単一の第一能動電子部品５１と第二能動電子部品６１とが組み立ててある。撮像モジュール２０は、第一装置区１１に設けられて、第一能動電子部品５１を撮像モジュール２０内に設ける。第二装置区１２は、第一ブリッジワイヤ１１１が直接折り曲げられて、第一装置区１１の下に折り重なる。
【００２３】
第三装置区１３及び第四装置区１４の表面は、単一の第三能動電子部品７１と第四能動電子部品８１とが組み立ててある。第三装置区１３は、第二ブリッジワイヤ１１２を介して、第二装置区１２に向かい合い、直接第二装置区１２の下（図７参照）に折り重なる。第四装置区１４は、第三ブリッジワイヤ１１３を介して、第三装置区１３に向かい合い、第三ブリッジワイヤ１１３の長さで直接第三装置区１３の下（図８参照）に折り重なる。
【００２４】
第二能動電子部品６１と、第三能動電子部品７１と、第四能動電子部品８１とは、第二装置区１２と、第三装置区１３と、第四装置区１４との上方または下方の表面に設置することができ、或いは、同時に上方と下方とに設置することができる。
第一装置区１１は、第一外接線端部１１ｄが第一外接ワイヤ１１４と連接し、第二装置区１２は、第二外接線端部１２ｂが第二外接ワイヤ１２１と連接し、第三装置区１３は、第三外接線端部１３ｂが第三外接ワイヤ１３１と連接し、第四装置区１４は、第四外接線端部１４ｂが第四外接ワイヤ１４１と連接する。本実施形態において、各の装置区は、ブリッジの端部で少なくとも一つ、例えば、第一外接線端部１１ｄ、第二外接線端部１２ｂ、第三外接線端部１３ｂ等の小部分円周を有し、少なくとも一つの外接ワイヤと連接する。
【００２５】
本考案による第１実施形態と第２実施形態において、外接ワイヤで装置区が必要とする配線空間を分散でき、それにより装置区の電気回路の面積を縮小して、しかも外接ワイヤは、折曲がって連接する前記装置区の一側に垂直になる。各外接ワイヤの幅は、およそ２ｍｍとなって、折曲げられてから形成した折角を最小とさせることができて、しかも光源モジュール３０の光源ワイヤ３３と共に、図２に示される小型撮像装置１００による折曲がれるセクション１０２を形成する。
【００２６】
第一外接ワイヤ１１４は、第一非組立部１１４ａと、第一組立部１１４ｂと、を有し、しかも第一組立部１１４ｂは、第一非組立部１１４ａから延伸しており、第一組立部１１４ｂの表面に第一受動電子部品５２を設置する。第二外接ワイヤ１２１は、同様に第二非組立部１２１ａと、第二組立部１２１ｂと、を有し、しかも第二組立部１２１ｂは、第二非組立部１２１ａから延伸しており、第二組立部１２１ｂの表面に第二受動電子部品６２を設置する。
【００２７】
第三外接ワイヤ１３１と第四外接ワイヤ１４１とは、それぞれ第三非組立部１３１ａ及び第三組立部１３１ｂ、第四非組立部１４１ａ及び第四組立部１４１ｂ、を有し、しかも第三組立部１３１ｂと第四組立部１４１ｂとは、第三非組立部１３１ａと第四非組立部１４１ａとから延伸しており、第三組立部１３１ｂと第四組立部１４１ｂとの表面に第三受動電子部品７２と第四受動電子部品８２とを設置する。
【００２８】
本考案による第１実施形態と第２実施形態において、各外接ワイヤの組立区で装置区に設けられた受動電子部品を各々の装置区から取り除いくことより、装置区が必要とする組立ての空間を減らすことができ、本考案の実施形態による小型撮像装置１００の管径を縮小できる。また、各外接ワイヤの非組立部が長さを持つことにより、折曲がれないセクション１０１を渡って、そのため各組立部に設けられた電子部品が折り重なった折曲がれるセクション１０２避けることができる。
【００２９】
第一組立部１１４ｂと、第二組立部１２１ｂと、第三非組立部１３１ｂと、第四組立部１４１ｂとの尾端は、導線５３、６３、７３、８３に連接し、しかも導線５３、６３、７３、８３は、エナメル線、普通の電線或いは他の電線とすることができる。光源モジュール３０の光源ワイヤ３３の尾端も導線３３１に連接する。各組立部の尾端から延伸した導線は、本考案の実施形態による小型撮像装置１００のデータを出力するために設けられる。
【００３０】
（第３実施形態）
本考案の実施形態において、第１実施形態による可撓性プリント回路基板１０の四つの装置区及び第２実施形態による可撓性プリント回路基板１０Ａの三つの装置区について説明したが、更に、本考案の第３実施形態として、二つの装置区で組み立てた可撓性プリント回路基板１０Ｂを図６及び図６Ａに示す。詳しく言えば、第３実施形態による二つの装置区の間をブリッジワイヤで連接して、少なくとも一つの外接ワイヤを有する。各の装置区では少なくとも一面に能動部品を設け、他の回路基板構造及び全体部品の配置は、第１実施形態と同様で同じ効果を有するため、説明を省略する。
上述の説明は、本考案の好適な実施形態を示すものである。従って、本考案の主旨を逸脱しない範囲における修飾または変更は、すべては、本考案の範囲に含まれる。
【符号の説明】
【００３１】
１００：小型撮像装置、１０１：折曲がれないセクション、１０２：折曲がれるセクション、１０、１０Ａ、１０Ｂ：可撓性プリント回路基板、１１、１１Ａ：第一装置区、１１ａ、１１ｂ、１１ｃ：第一ブリッジ端部、１１ｄ：第一外接線端部、１１４：第一外接ワイヤ、１１４ａ：第一非組立部、１１４ｂ：第一組立部、１１１：第一ブリッジワイヤ、１１２：第二ブリッジワイヤ、１１３：第三ブリッジワイヤ、１２、１２Ａ：第二装置区、１２ａ：第二ブリッジ端部、１２ｂ：第二外接線端部、１２１：第二外接ワイヤ、１２１ａ：第二非組立部、１２１ｂ：第二組立部、１３、１３Ａ：第三装置区、１３ａ：第三ブリッジ端部、１３ｂ：第三外接線端部、１３１：第三外接ワイヤ、１３１ａ：第三非組立部、１３１ｂ：第三組立部、１４：第四装置区、１４ａ：第四ブリッジ端部、１４ｂ：第四外接線端部、１４１：第四外接ワイヤ、１４１ａ：第四非組立部、１４１ｂ：第四組立部、２０：撮像モジュール、２１：光学レンズ、２２：スタンド、３０：光源モジュール、３１：光源プリント回路基板、３１１：通孔、３２：発光部品、３３：光源ワイヤ、３３１：導線、４０：カバー、４１：光学透明レンズ、５１：第一能動電子部品、５２：第一受動電子部品、５３：導線、６１：第二能動電子部品、６２：第二受動電子部品、６３：導線、７１：第三能動電子部品、７２：第三受動電子部品、７３：導線、８１：第四能動電子部品、８２：第四受動電子部品、８３：導線、Ａ：無効地区の面積
【図１】
0003158863.tif 000003
【図２】
0003158863.tif 000004
【図３】
0003158863.tif 000005
【図４】
0003158863.tif 000006
【図５】
0003158863.tif 000007
【図６】
0003158863.tif 000008
【図６Ａ】
0003158863.tif 000009
【図７】
0003158863.tif 000010
【図８】
0003158863.tif 000011
【手続補正書】
【提出日】平成22年2月18日(2010.2.18)
【手続補正１】
【補正対象書類名】実用新案登録請求の範囲
【補正対象項目名】請求項１
【補正方法】変更
【補正の内容】
【請求項１】
撮像モジュール（２０）と、光源モジュール（３０）と、可撓性プリント回路基板（１０）と、を備え、
前記撮像モジュール（２０）は、光学レンズ（２１）と、スタンド（２２）とを有し、前記光学レンズ（２１）は、撮像をするために前記スタンド（２２）の一端の表面に設けられ、
前記光源モジュール（３０）は、撮像をするとき必要な光線を提供するために、前記撮像モジュール（２０）の前記スタンド（２２）に設けられ、
前記可撓性プリント回路基板（１０）は、第一装置区（１１）と、第一ブリッジワイヤ（１１１）と、第二装置区（１２）と、少なくとも一つの第一外接ワイヤ（１１４）と、少なくとも一つの第二外接ワイヤ（１２１）と、を有し、
前記第一装置区（１１）は、前記撮像モジュール（２０）が設けられ、前記撮像モジュール（２０）内部の下方にある前記第一装置区（１１）の表面には、撮像および画像の処理をするための第一能動電子部品（５１）を組み立てており、前記第一装置区（１１）の周辺は、第一ブリッジ端部（１１ａ、１１ｂ、１１ｃ）と、少なくとも第一外接線端部（１１ｄ）を設け、
前記第一ブリッジワイヤ（１１１）の一端は、平滑的に前記第一ブリッジ端部（１１ａ、１１ｂ、１１ｃ）と一体連接し、前記第一ブリッジワイヤ（１１１）は、前記第一装置区（１１）の方向に折り曲がって、直接前記第一装置区（１１）の下方に折り重なり、
前記第二装置区（１２）の表面には、第二能動電子部品（６１）が組み立てられ、その周辺に第二ブリッジ端部（１２ａ）と少なくとも一つの第二外接線端部（１２ｂ）を設け、前記第一ブリッジワイヤ（１１１）の他の一端は、平滑に前記第二ブリッジ端部（１２ａ）と一体連接し、前記第二装置区（１２）は、前記第一ブリッジワイヤ（１１１）で前記第一装置区（１１）の方向に折り曲がって、直接前記第一装置区（１１）の下方に折り重なり、
少なくとも一つの前記第一外接ワイヤ（１１４）は、平滑に前記第一装置区（１１）と一体連接して、前記第一外接ワイヤ（１１４）は、第一非組立部（１１４ａ）と、第一組立部（１１４ｂ）とを有し、
前記第一非組立部（１１４ａ）は、前記第一外接線端部（１１ｄ）で前記第一装置区（１１）周辺の小部分と連接し、
前記第一組立部（１１４ｂ）は、前記第一非組立部（１１４ａ）から外に向かって一体延伸し、前記第一組立部（１１４ｂ）の表面には、第一受動電子部品（５２）が設けられ、前記第一組立部（１１４ｂ）の尾端は、導線を介して外部と連接し、
少なくとも一つの前記第二外接ワイヤ（１２１）は、平滑に前記第二装置区（１２）と一体連接して、前記第二外接ワイヤ（１２１）は、第二非組立部（１２１ａ）と、第二組立部（１２１ｂ）とを有し、
前記第二非組立部（１２１ａ）は、前記第二外接線端部（１２ｂ）で前記第二装置区（１２）周辺の小部分と連接し、
前記第二組立部（１２１ｂ）は、前記第二非組立部（１２１ａ）から外に向かって一体延伸し、前記第二組立部（１２１ｂ）の表面には、第二受動電子部品（６２）が設けられ、前記第二組立部（１２１ｂ）の尾端は、導線を介して外部と連接することを特徴とする小型撮像装置。
【手続補正２】
【補正対象書類名】実用新案登録請求の範囲
【補正対象項目名】請求項４
【補正方法】変更
【補正の内容】
【請求項４】
前記第三組立部（１３１ｂ）の長さは、前記第一装置区（１１）と前記第二装置区（１２）との間の距離より大きく、前記第一ブリッジ端部、前記第二ブリッジ端部、前記第一ブリッジワイヤ、前記第一外接線端部、前記第二外接線端部、前記第一外接ワイヤ及び前記第二外接ワイヤの幅は、２ｍｍ以下であり、装置部及びカバーの外円周の寸法は、５ｍｍ以下となることを特徴とする請求項３に記載の小型撮像装置。
【手続補正３】
【補正対象書類名】実用新案登録請求の範囲
【補正対象項目名】請求項６
【補正方法】変更
【補正の内容】
【請求項６】
前記第四組立部（１４１ｂ）の長さは、前記第一装置区（１１）と前記第四装置区（１４）との間の距離より大きく、前記第一ブリッジ端部、前記第二ブリッジ端部、前記第三ブリッジ端部、前記第四ブリッジ端部、前記第一ブリッジワイヤ、前記第二ブリッジワイヤ、前記第三ブリッジワイヤ、前記第一外接線端部、前記第二外接線端部、前記第三外接線端部、前記第四外接線端部、前記第一外接ワイヤ、前記第二外接ワイヤ、前記第三外接ワイヤ、及び前記第四外接ワイヤの幅は、２ｍｍ以下であり、装置部及びカバーの外円周の寸法は、５ｍｍ以下となることを特徴とする請求項５に記載の小型撮像装置。